(57)【要約】  本発明は、リソース構成方法および装置、コンピュータ記憶媒体を開示し、前記リソース構成方法は、端末は、ネットワーク機器によって送信される第１制御情報を受信することと、前記第１制御情報は、第１指示情報を含み、前記第１指示情報は、アクティブ化される少なくとも２つのダウンリンクＢＷＰまたはアップリンクＢＷＰを決定するために使用され、前記端末は、前記第１制御情報に従って、少なくとも２つのダウンリンクＢＷＰまたはアップリンクＢＷＰをアクティブ化することとを含む。
2021518066.tif 000002
【特許請求の範囲】
【請求項１】
リソース構成方法であって、
端末は、ネットワーク機器によって送信される第１制御情報を受信することであって、前記第１制御情報は、第１指示情報を含み、前記第１指示情報は、アクティブ化される少なくとも２つのダウンリンク帯域幅部分（ＢＷＰ）またはアップリンクＢＷＰを決定するために使用されることと、
前記端末は、前記第１制御情報に従って、少なくとも２つのダウンリンクＢＷＰまたはアップリンクＢＷＰをアクティブ化することとを含む、前記リソース構成方法。
【請求項２】
前記リソース構成方法は、
前記端末は、前記ネットワーク機器によって送信される第１構成情報を受信することをさらに含み、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項１に記載のリソース構成方法。
【請求項３】
前記端末は、前記第１制御情報に従って、少なくとも２つのダウンリンクＢＷＰまたはアップリンクＢＷＰをアクティブ化することは、
前記第１指示情報が第１ＢＷＰセットの指示情報である場合、前記端末は、前記第１ＢＷＰセット内の各ＢＷＰをアクティブ化することを含み、
前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである、
請求項２に記載のリソース構成方法。
【請求項４】
前記リソース構成方法は、
前記端末は、前記ネットワーク機器によって送信される第２構成情報を受信することであって、前記第２構成情報は、前記第１ＢＷＰセットに対応する第１期間情報を含むことと、
前記第１ＢＷＰセット内の各ＢＷＰのアクティブ化された期間が前記第１期間に達する場合、前記第１ＢＷＰセット内の各ＢＷＰを非アクティブ化することとをさらに含む、
請求項３に記載のリソース構成方法。
【請求項５】
前記リソース構成方法は、
前記端末は、前記ネットワーク機器によって送信される第３構成情報を受信することであって、前記第３構成情報は、前記第１ＢＷＰセット内の第１ＢＷＰに対応する第２期間情報を含むことと、
前記第１ＢＷＰのアクティブ化された期間が前記第２期間に達する場合、前記第１ＢＷＰを非アクティブ化することとをさらに含む、
請求項３に記載のリソース構成方法。
【請求項６】
前記リソース構成方法は、
前記第１ＢＷＰセット内の各ＢＷＰが全部非アクティブ化された場合、デフォルトＢＷＰをアクティブ化することをさらに含む、
請求項４または５に記載のリソース構成方法。
【請求項７】
前記端末は、前記第１制御情報に従って、少なくとも２つのダウンリンクＢＷＰまたはアップリンクＢＷＰをアクティブ化することは、
前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記端末は、前記第２ＢＷＰセット内の各ＢＷＰをアクティブ化することを含み、
前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである、
請求項２に記載のリソース構成方法。
【請求項８】
前記リソース構成方法は、
前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記端末は、前記第２ＢＷＰをアクティブ化することをさらに含み、
前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである、
請求項２に記載のリソース構成方法。
【請求項９】
前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力で同時に前記第２ＢＷＰセット内の各ＢＷＰの周波数領域範囲をカバーすることができることを含む、
請求項７または８に記載のリソース構成方法。
【請求項１０】
前記リソース構成方法は、
前記端末は、前記ネットワーク機器によって送信される第４構成情報受信することであって、前記第４構成情報は、前記第２ＢＷＰに対応する第３期間情報を含むことと、
前記第２ＢＷＰのアクティブ化された期間が前記第３期間に達する場合、前記第２ＢＷＰセット内の各ＢＷＰを非アクティブ化することとをさらに含む、
請求項７に記載のリソース構成方法。
【請求項１１】
前記リソース構成方法は、
前記端末は、前記ネットワーク機器によって送信される第５構成情報を受信することであって、前記第５構成情報は、前記第２ＢＷＰセット内の第３ＢＷＰに対応する第４期間情報を含むことと、
前記第３ＢＷＰのアクティブ化された期間が前記第４期間に達する場合、前記第３ＢＷＰを非アクティブ化することであって、前記第３ＢＷＰは、前記第２ＢＷＰとは異なることとをさらに含む、
請求項７または１０に記載のリソース構成方法。
【請求項１２】
前記リソース構成方法は、
前記第２ＢＷＰセット内の各ＢＷＰが全部非アクティブ化された場合、デフォルトＢＷＰをアクティブ化することをさらに含む、
請求項１０または１１に記載のリソース構成方法。
【請求項１３】
リソース構成方法であって、
端末が第１制御情報に従って、少なくとも２つのダウンリンクＢＷＰまたはアップリンクＢＷＰをアクティブ化するように、ネットワーク機器は、前記第１制御情報を前記端末に送信することをさらに含み、前記第１制御情報は、第１指示情報を含み、前記第１指示情報は、アクティブ化される少なくとも２つのダウンリンクＢＷＰまたはアップリンクＢＷＰを決定するために使用される、前記リソース構成方法。
【請求項１４】
前記リソース構成方法は、
前記ネットワーク機器は、第１構成情報を前記端末に送信することをさらに含み、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項１３に記載のリソース構成方法。
【請求項１５】
前記第１指示情報が第１ＢＷＰセットの指示情報である場合、前記第１指示情報は、前記端末が前記第１ＢＷＰセット内の各ＢＷＰをアクティブ化するようにするために使用され、
前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである、
請求項１４に記載のリソース構成方法。
【請求項１６】
前記リソース構成方法は、
前記ネットワーク機器は、第２構成情報を前記端末に送信することをさらに含み、前記第２構成情報は、第１ＢＷＰセットに対応する第１期間情報を含み、
前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用される、
請求項１５に記載のリソース構成方法。
【請求項１７】
前記リソース構成方法は、
前記ネットワーク機器は、第３構成情報を前記端末に送信することをさらに含み、前記第３構成情報は、前記第１ＢＷＰセット内の第１ＢＷＰに対応する第２期間情報を含み、
前記第２期間情報は、前記第１ＢＷＰのアクティブ化された期間が前記第２期間に達する場合、前記端末が前記第１ＢＷＰを非アクティブ化するようにするために使用される、
請求項１５に記載のリソース構成方法。
【請求項１８】
前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第１指示情報は、前記端末が前記第２ＢＷＰセット内の各ＢＷＰをアクティブ化するようにするために使用され、
前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである、
請求項１４に記載のリソース構成方法。
【請求項１９】
前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第１指示情報は、前記端末が前記第２ＢＷＰをアクティブ化するようにするために使用され、
前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである、
請求項１４に記載のリソース構成方法。
【請求項２０】
前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む、
請求項１８または１９に記載のリソース構成方法。
【請求項２１】
前記リソース構成方法は、
前記ネットワーク機器は、第４構成情報を前記端末に送信することをさらに含み、前記第４構成情報は、前記第２ＢＷＰセットに対応する第３期間情報を含み、
前記第３期間情報は、前記第２ＢＷＰのアクティブ化された期間が前記第３期間に達する場合、前記端末が前記第２ＢＷＰセット内の各ＢＷＰを非アクティブ化するようにするために使用される、
請求項１８に記載のリソース構成方法。
【請求項２２】
前記リソース構成方法は、
前記ネットワーク機器は、第５構成情報を前記端末に送信することをさらに含み、前記第５構成情報は、前記第２ＢＷＰセット内の第３ＢＷＰに対応する第４期間情報を含み、
前記第４期間情報は、前記第３ＢＷＰのアクティブ化された期間が前記第４期間に達する場合、前記端末が前記第３ＢＷＰを非アクティブ化するようにするために使用され、前記第３ＢＷＰは、前記第２ＢＷＰとは異なる、
請求項１８または２１に記載のリソース構成方法。
【請求項２３】
リソース構成装置であって、
第１受信ユニットと、アクティブ化ユニットとを含み、
前記第１受信ユニットは、ネットワーク機器によって送信される第１制御情報を受信するように構成され、前記第１制御情報は、第１指示情報を含み、前記第１指示情報は、アクティブ化される少なくとも２つのダウンリンクＢＷＰまたはアップリンクＢＷＰを決定するために使用され、
前記アクティブ化ユニットは、前記第１制御情報に従って、少なくとも２つのダウンリンクＢＷＰまたはアップリンクＢＷＰをアクティブ化するように構成される、前記リソース構成装置。
【請求項２４】
前記リソース構成装置は、
第２受信ユニットをさらに含み、
前記第２受信ユニットは、前記ネットワーク機器によって送信される第１構成情報を受信するように構成され、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項２３に記載のリソース構成装置。
【請求項２５】
前記アクティブ化ユニットは、前記第１指示情報が第１ＢＷＰセットの指示情報である場合、前記第１ＢＷＰセット内の各ＢＷＰをアクティブ化するように構成され、
前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである、
請求項２４に記載のリソース構成装置。
【請求項２６】
前記リソース構成装置は、
第３受信ユニットと、非アクティブ化ユニットとをさらに含み、
前記第３受信ユニットは、前記ネットワーク機器によって送信される第２構成情報を受信するように構成され、前記第２構成情報は、前記第１ＢＷＰセットに対応する第１期間情報を含み、
前記非アクティブ化ユニットは、前記第１ＢＷＰセット内の各ＢＷＰのアクティブ化された期間が第１期間に達する場合、前記第１ＢＷＰセット内の各ＢＷＰを非アクティブ化するように構成される、
請求項２５に記載のリソース構成装置。
【請求項２７】
前記リソース構成装置は、
第４受信ユニットと、非アクティブ化ユニットとをさらに含み、
前記第４受信ユニットは、前記ネットワーク機器によって送信される第３構成情報を受信するように構成され、前記第３構成情報は、前記第１ＢＷＰセット内の第１ＢＷＰに対応する第２期間情報を含み、
前記非アクティブ化ユニットは、前記第１ＢＷＰのアクティブ化された期間が前記第２期間に達する場合、前記第１ＢＷＰを非アクティブ化するように構成される、
請求項２５に記載のリソース構成装置。
【請求項２８】
前記アクティブ化ユニットは、さらに、前記第１ＢＷＰセット内の各ＢＷＰが全部非アクティブ化された場合、デフォルトＢＷＰをアクティブ化するように構成される、
請求項２６または２７に記載のリソース構成装置。
【請求項２９】
前記アクティブ化ユニットは、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第２ＢＷＰセット内の各ＢＷＰをアクティブ化するように構成され、
前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである、
請求項２４に記載のリソース構成装置。
【請求項３０】
前記アクティブ化ユニットは、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第２ＢＷＰをアクティブ化するように構成され、
前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである、
請求項２４に記載のリソース構成装置。
【請求項３１】
前記第２ＢＷＰセット内の各ＢＷＰが満たすプリセットのルールは、
前記第２ＢＷＰセット内の各ＢＷＰ的周波数領域位置および帯域幅サイズ一致すること、または、
前記第２ＢＷＰセット内の、各ＢＷＰの周波数領域位置および帯域幅サイズが一致すること、または、
前記端末の無線周波数帯域幅能力が同時に前記第２ＢＷＰセット内の各ＢＷＰの周波数領域範囲をカバーすることができることを含む、
請求項２９または３０に記載のリソース構成装置。
【請求項３２】
前記リソース構成装置は、
第５受信ユニットと、非アクティブ化ユニットとをさらに含み、
前記第５受信ユニットは、前記ネットワーク機器によって送信される第４構成情報を受信するように構成され、前記第４構成情報は、前記第２ＢＷＰに対応する第３期間情報を含み、
前記非アクティブ化ユニットは、前記第２ＢＷＰのアクティブ化された期間が前記第３期間に達する場合、前記第２ＢＷＰセット内の各ＢＷＰを非アクティブ化するように構成される、
請求項２９に記載のリソース構成装置。
【請求項３３】
前記リソース構成装置は、
第６受信ユニットと、非アクティブ化ユニットとをさらに含み、
前記第６受信ユニットは、前記ネットワーク機器によって送信される第５構成情報を受信するように構成され、前記第５構成情報は、前記第２ＢＷＰセット内の第３ＢＷＰに対応する第４期間情報を含み、
前記非アクティブ化ユニットは、前記第３ＢＷＰのアクティブ化された期間が前記第４期間に達する場合、前記第３ＢＷＰを非アクティブ化するように構成され、前記第３ＢＷＰは、前記第２ＢＷＰとは異なる、
請求項２９または３２に記載のリソース構成装置。
【請求項３４】
前記アクティブ化ユニットは、さらに、前記第２ＢＷＰセット内の各ＢＷＰが全部非アクティブ化された場合、デフォルトＢＷＰをアクティブ化するように構成される、
請求項３２または３３に記載のリソース構成装置。
【請求項３５】
リソース構成装置であって、
第１送信ユニットを含み、
前記第１送信ユニットは、端末が第１制御情報に従って、少なくとも２つのダウンリンクＢＷＰまたはアップリンクＢＷＰをアクティブ化するように、前記端末に前記第１制御情報を送信するように構成され、前記第１制御情報は、第１指示情報を含み、前記第１指示情報は、アクティブ化される少なくとも２つのダウンリンクＢＷＰまたはアップリンクＢＷＰを決定するために使用される、前記リソース構成装置。
【請求項３６】
前記リソース構成装置は、
第２送信ユニットをさらに含み、
前記第２送信ユニットは、第１構成情報を前記端末に送信するように構成され、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項３５に記載のリソース構成装置。
【請求項３７】
前記第１指示情報が第１ＢＷＰセットの指示情報である場合、前記第１指示情報は、前記端末が前記第１ＢＷＰセット内の各ＢＷＰをアクティブ化するようにするために使用され、
前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである、
請求項３６に記載のリソース構成装置。
【請求項３８】
前記リソース構成装置は、
第３送信ユニットをさらに含み、
前記第３送信ユニットは、第２構成情報を前記端末に送信するように構成され、前記第２構成情報は、第１ＢＷＰセットに対応する第１期間情報を含み、
前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用される、
請求項３７に記載のリソース構成装置。
【請求項３９】
前記リソース構成装置は、
第４送信ユニットをさらに含み、
前記第４送信ユニットは、第３構成情報を前記端末に送信するように構成され、前記第３構成情報は、前記第１ＢＷＰセット内の第１ＢＷＰに対応する第２期間情報を含み、
前記第２期間情報は、前記第１ＢＷＰのアクティブ化された期間が前記第２期間に達する場合、前記端末が前記第１ＢＷＰを非アクティブ化するようにするために使用される、
請求項３７に記載のリソース構成装置。
【請求項４０】
前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第１指示情報は、前記端末が前記第２ＢＷＰセット内の各ＢＷＰをアクティブ化するようにするために使用され、
前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである、
請求項３６に記載のリソース構成装置。
【請求項４１】
前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第１指示情報は、前記端末が前記第２ＢＷＰをアクティブ化するようにするために使用され、
前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである、
請求項３６に記載のリソース構成装置。
【請求項４２】
前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む、
請求項４０または４１に記載のリソース構成装置。
【請求項４３】
前記リソース構成装置は、
第５送信ユニットをさらに含み、
前記第５送信ユニットは、第４構成情報を前記端末に送信するように構成され、前記第４構成情報は、第２ＢＷＰに対応する第３期間情報を含み、
前記第３期間情報は、前記第２ＢＷＰのアクティブ化された期間が前記第３期間に達する場合、前記端末が前記第２ＢＷＰセット内の各ＢＷＰを非アクティブ化するようにするために使用される、
請求項４０に記載のリソース構成装置。
【請求項４４】
前記リソース構成装置は、
第６送信ユニットをさらに含み、
前記第６送信ユニットは、第５構成情報を前記端末に送信するように構成され、前記第５構成情報は、前記第２ＢＷＰセット内の第３ＢＷＰに対応する第４期間情報を含み、
前記第４期間情報は、前記第３ＢＷＰのアクティブ化された期間が前記第４期間に達する場合、前記端末が前記第３ＢＷＰを非アクティブ化するようにするために使用され、前記第３ＢＷＰは、前記第２ＢＷＰとは異なる、
請求項４０または４３に記載のリソース構成装置。
【請求項４５】
コンピュータ実行可能な命令を記憶するように構成されるコンピュータ記憶媒体であって、前記コンピュータ実行可能な命令がプロセッサによって実行されるとき、請求項１ないし１２のいずれか一項に記載の方法のステップを実現し、または請求項１３ないし２２のいずれか一項に記載の方法のステップを実現する、前記コンピュータ記憶媒体。
【発明の詳細な説明】
【技術分野】
【０００１】
本発明は、無線通信技術分野に関し、特に、リソース構成方法および装置、コンピュータ記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムでは、端末の周波数領域リソースは、システム帯域幅全体から割り当てられる。第５世代（５Ｇ：５ｔｈ  Ｇｅｎｅｒａｔｉｏｎ）ニューラジオ（ＮＲ：Ｎｅｗ  Ｒａｄｉｏ）システムでは、システム帯域幅が大幅に改善されるため、端末の伝送帯域幅がシステム帯域幅の一部しか占有しない。
【０００３】
５Ｇ  ＮＲの現在の研究では、帯域幅部分（ＢＷＰ、Ｂａｎｄ  Ｗｉｄｔｈ  Ｐａｒｔ）の概念を導入することが決定され、システム帯域幅より小さい範囲での周波数領域リソースの割り当てを実現する。基地局は、無線リソース制御（ＲＲＣ：Ｒａｄｉｏ  Ｒｅｓｏｕｒｃｅ  Ｃｏｎｔｒｏｌ）シグナリングで複数のＢＷＰを構成することができ、その後、ダウンリンク制御情報（ＤＣＩ：Ｄｏｗｎｌｉｎｋ  Ｃｏｎｔｒｏｌ  Ｉｎｆｏｒｍａｔｉｏｎ）でＢＷＰを動的にアクティブ化する。各タイプのＢＷＰは、パラメータセットに基づく、ここで、パラメータセットには、サブキャリア間隔およびサイクリックプレフィックス（ＣＰ：Ｃｙｃｌｉｃ  Ｐｒｅｆｉｘ）が含まれる。現在の技術案では、、一つの端末に対しては一つのＢＷＰしかアクティブ化できず、新しいＢＷＰがアクティブ化されると伴に、元のＢＷＰは非アクティブ化される。
【０００４】
図１示すように、ＢＷＰ１がアクティブ状態である場合、ＢＷＰ２をアクティブ化すると、ＢＷＰ１が非アクティブ化され、ＢＷＰ１も非アクティブ化されると、デフォルトＢＷＰにフォールバックする。
【０００５】
既存の技術的解決策は、複数のＢＷＰの同時アクティブ化をサポートできないため、複数のパラメータセットの同時使用をサポートできず、さらに、複数のタイプのサービスが並行して伝送される場合、異なるサービスに対してそれぞれパラメータセットを最適化することができない。また、２つのパラメータセットの間で切り替えると、２つのＢＷＰの間でも切り替えられ、端末の無線周波数帯域が変換され、無線周波数帯域の変換により、端末は一定期間でデータを受信または送信できなくなり、スペクトルリソースの浪費を引き起こす。
【発明の概要】
【発明が解決しようとする課題】
【０００６】
上記の技術的課題を解決するために、本発明の実施例は、リソース構成方法および装置、コンピュータ記憶媒体を提供する。
【課題を解決するための手段】
【０００７】
本発明の実施例によって提供されるリソース構成方法は、
端末は、ネットワーク機器によって送信される第１制御情報を受信することと、前記第１制御情報は、第１指示情報を含み、前記第１指示情報は、アクティブ化される少なくとも２つのダウンリンクＢＷＰまたはアップリンクＢＷＰを決定するために使用され、
前記端末は、前記第１制御情報に従って、少なくとも２つのダウンリンクＢＷＰまたはアップリンクＢＷＰをアクティブ化することとを含む。
【０００８】
本発明の実施例において、前記リソース構成方法は、
前記端末は、前記ネットワーク機器によって送信される第１構成情報を受信することをさらに含み、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【０００９】
前記端末は、前記第１制御情報に従って、少なくとも２つのダウンリンクＢＷＰまたはアップリンクＢＷＰをアクティブ化することは、
前記第１指示情報が第１ＢＷＰセットの指示情報である場合、前記端末は、前記第１ＢＷＰセット内の各ＢＷＰをアクティブ化することを含み、
ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【００１０】
本発明の実施例において、前記リソース構成方法は、
前記端末は、前記ネットワーク機器によって送信される第２構成情報を受信することと、前記第２構成情報は、前記第１ＢＷＰセットに対応する第１期間情報を含み、
前記第１ＢＷＰセット内の各ＢＷＰのアクティブ化された期間が第１期間に達する場合、前記第１ＢＷＰセット内の各ＢＷＰを非アクティブ化することとをさらに含む。
【００１１】
本発明の実施例において、前記リソース構成方法は、
前記端末は、前記ネットワーク機器によって送信される第３構成情報を受信することと、前記第３構成情報は、前記第１ＢＷＰセット内の第１ＢＷＰに対応する第２期間情報を含み、
前記第１ＢＷＰのアクティブ化された期間が前記第２期間に達する場合、前記第１ＢＷＰを非アクティブ化することとをさらに含む。
【００１２】
本発明の実施例において、前記リソース構成方法は、
前記第１ＢＷＰセット内の各ＢＷＰが全部非アクティブ化された場合、デフォルトＢＷＰをアクティブ化することをさらに含む。
【００１３】
本発明の実施例において、前記端末は、前記第１制御情報に従って、少なくとも２つのダウンリンクＢＷＰまたはアップリンクＢＷＰをアクティブ化することは、
前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記端末は、前記第２ＢＷＰセット内の各ＢＷＰをアクティブ化することを含み、
ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【００１４】
本発明の実施例において、前記リソース構成方法は、
前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記端末は、前記第２ＢＷＰをアクティブ化することをさらに含み、
ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【００１５】
本発明の実施例において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力で同時に前記第２ＢＷＰセット内の各ＢＷＰの周波数領域範囲をカバーすることができることとを含む。
【００１６】
本発明の実施例において、前記リソース構成方法は、
前記端末は、前記ネットワーク機器によって送信される第４構成情報受信することであって、前記第４構成情報は、前記第２ＢＷＰに対応する第３期間情報を含むことと、
前記第２ＢＷＰのアクティブ化された期間が前記第３期間に達する場合、前記第２ＢＷＰセット内の各ＢＷＰを非アクティブ化することとをさらに含む。
【００１７】
本発明の実施例において、前記リソース構成方法は、
前記端末は、前記ネットワーク機器によって送信される第５構成情報を受信することと、前記第５構成情報は、前記第２ＢＷＰセット内の第３ＢＷＰに対応する第４期間情報を含み、
前記第３ＢＷＰのアクティブ化された期間が前記第４期間に達する場合、前記第３ＢＷＰを非アクティブ化することとをさらに含み、ここで、前記第３ＢＷＰは、前記第２ＢＷＰとは異なる。
【００１８】
本発明の実施例において、前記リソース構成方法は、
前記第２ＢＷＰセット内の各ＢＷＰが全部非アクティブ化された場合、デフォルトＢＷＰをアクティブ化することをさらに含む。
【００１９】
本発明の実施例によって提供されるリソース構成方法は、
端末が第１制御情報に従って、少なくとも２つのダウンリンクＢＷＰまたはアップリンクＢＷＰをアクティブ化するように、ネットワーク機器は、前記端末に前記第１制御情報を送信することを含み、ここで、前記第１制御情報は、第１指示情報を含み、前記第１指示情報は、アクティブ化される少なくとも２つのダウンリンクＢＷＰまたはアップリンクＢＷＰを決定するために使用される。
【００２０】
本発明の実施例において、前記リソース構成方法は、
前記ネットワーク機器は、第１構成情報を前記端末に送信することをさらに含み、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【００２１】
本発明の実施例において、前記第１指示情報が第１ＢＷＰセットの指示情報である場合、前記第１指示情報は、前記端末が前記第１ＢＷＰセット内の各ＢＷＰをアクティブ化するようにするために使用され、
ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【００２２】
本発明の実施例において、前記リソース構成方法は、
前記ネットワーク機器は、第２構成情報を前記端末に送信することをさらに含み、前記第２構成情報は、第１ＢＷＰセットに対応する第１期間情報を含み、
ここで、前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用される。
【００２３】
本発明の実施例において、前記リソース構成方法は、
前記ネットワーク機器は、第３構成情報を前記端末に送信することをさらに含み、前記第３構成情報は、前記第１ＢＷＰセット内の第１ＢＷＰに対応する第２期間情報を含み、
ここで、前記第２期間情報は、前記第１ＢＷＰのアクティブ化された期間が前記第２期間に達する場合、前記端末が前記第１ＢＷＰを非アクティブ化するようにするために使用される。
【００２４】
本発明の実施例において、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第１指示情報は、前記端末が前記第２ＢＷＰセット内の各ＢＷＰをアクティブ化するようにするために使用され、
ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【００２５】
本発明の実施例において、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第１指示情報は、前記端末が前記第２ＢＷＰをアクティブ化するようにするために使用され、
ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【００２６】
本発明の実施例において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力で同時に前記第２ＢＷＰセット内の各ＢＷＰの周波数領域範囲をカバーすることができることを含む。
【００２７】
本発明の実施例において、前記リソース構成方法は、
前記ネットワーク機器は、第４構成情報を前記端末に送信することをさらに含み、前記第４構成情報は、前記第２ＢＷＰセットに対応する第３期間情報を含み、
ここで、前記第３期間情報は、前記第２ＢＷＰのアクティブ化された期間が前記第３期間に達する場合、前記端末が前記第２ＢＷＰセット内の各ＢＷＰを非アクティブ化するようにするために使用される。
【００２８】
本発明の実施例において、前記リソース構成方法は、
前記ネットワーク機器は、第５構成情報を前記端末に送信することをさらに含み、前記第５構成情報は、前記第２ＢＷＰセット内の第３ＢＷＰに対応する第４期間情報を含み、
ここで、前記第４期間情報は、前記第３ＢＷＰのアクティブ化された期間が前記第４期間に達する場合、前記端末が前記第３ＢＷＰを非アクティブ化するようにするために使用され、前記第３ＢＷＰは、前記第２ＢＷＰとは異なる。
【００２９】
本発明の実施例によって提供されるリソース構成装置は、第１受信ユニットと、アクティブ化ユニットとを含み、
前記第１受信ユニットは、ネットワーク機器によって送信される第１制御情報を受信するように構成され、前記第１制御情報は、第１指示情報を含み、前記第１指示情報は、アクティブ化される少なくとも２つのダウンリンクＢＷＰまたはアップリンクＢＷＰを決定するために使用され、
前記アクティブ化ユニットは、前記第１制御情報に従って、少なくとも２つのダウンリンクＢＷＰまたはアップリンクＢＷＰをアクティブ化するように構成される。
【００３０】
本発明の実施例において、前記リソース構成装置は、第２受信ユニットをさらに含み、
前記第２受信ユニットは、前記ネットワーク機器によって送信される第１構成情報を受信するように構成され、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【００３１】
本発明の実施例において、前記アクティブ化ユニットは、前記第１指示情報が第１ＢＷＰセットの指示情報である場合、前記第１ＢＷＰセット内の各ＢＷＰをアクティブ化するように構成され、
ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【００３２】
本発明の実施例において、前記リソース構成装置は、第３受信ユニットと、非アクティブ化ユニットとをさらに含み、
前記第３受信ユニットは、前記ネットワーク機器によって送信される第２構成情報を受信するように構成され、前記第２構成情報は、前記第１ＢＷＰセットに対応する第１期間情報を含み、
前記非アクティブ化ユニットは、前記第１ＢＷＰセット内の各ＢＷＰのアクティブ化された期間が第１期間に達する場合、前記第１ＢＷＰセット内の各ＢＷＰを非アクティブ化するように構成される。
【００３３】
本発明の実施例において、前記リソース構成装置は、第４受信ユニットと、非アクティブ化ユニットとをさらに含み、
前記第４受信ユニットは、前記ネットワーク機器によって送信される第３構成情報を受信するように構成され、前記第３構成情報は、前記第１ＢＷＰセット内の第１ＢＷＰに対応する第２期間情報を含み、
前記非アクティブ化ユニットは、前記第１ＢＷＰのアクティブ化された期間が前記第２期間に達する場合、前記第１ＢＷＰを非アクティブ化するように構成される。
【００３４】
本発明の実施例において、前記アクティブ化ユニットは、前記第１ＢＷＰセット内の各ＢＷＰが全部非アクティブ化された場合、デフォルトＢＷＰをアクティブ化するように構成される。
【００３５】
本発明の実施例において、前記アクティブ化ユニットは、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第２ＢＷＰセット内の各ＢＷＰをアクティブ化するように構成され、
ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【００３６】
本発明の実施例において、前記アクティブ化ユニットは、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第２ＢＷＰをアクティブ化するように構成され、
ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【００３７】
本発明の実施例において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む。
【００３８】
本発明の実施例において、前記リソース構成装置は、第５受信ユニットと、非アクティブ化ユニットとをさらに含み、
前記第５受信ユニットは、前記ネットワーク機器によって送信される第４構成情報を受信するように構成され、前記第４構成情報は、前記第２ＢＷＰに対応する第３期間情報を含み、
前記非アクティブ化ユニットは、前記第２ＢＷＰのアクティブ化された期間が前記第３期間に達する場合、前記第２ＢＷＰセット内の各ＢＷＰを非アクティブ化するように構成される。
【００３９】
本発明の実施例において、前記リソース構成装置は、第６受信ユニットと、非アクティブ化ユニットとをさらに含み、
前記第６受信ユニットは、前記ネットワーク機器によって送信される第５構成情報を受信するように構成され、前記第５構成情報は、前記第２ＢＷＰセット内の第３ＢＷＰに対応する第４期間情報を含み、
前記非アクティブ化ユニットは、前記第３ＢＷＰのアクティブ化された期間が前記第４期間に達する場合、前記第３ＢＷＰを非アクティブ化するように構成され、ここで、前記第３ＢＷＰは、前記第２ＢＷＰとは異なる。
【００４０】
本発明の実施例において、前記アクティブ化ユニットは、さらに、前記第２ＢＷＰセット内の各ＢＷＰが全部非アクティブ化された場合、デフォルトＢＷＰをアクティブ化するように構成される。
【００４１】
本発明の実施例によって提供されるリソース構成装置は、第１送信ユニットを含み、
前記第１送信ユニットは、端末が第１制御情報に従って、少なくとも２つのダウンリンクＢＷＰまたはアップリンクＢＷＰをアクティブ化するように、前記端末に前記第１制御情報を送信するように構成され、ここで、前記第１制御情報は、第１指示情報を含み、前記第１指示情報は、アクティブ化される少なくとも２つのダウンリンクＢＷＰまたはアップリンクＢＷＰを決定するために使用される。
【００４２】
本発明の実施例において、前記リソース構成装置は、第２送信ユニットをさらに含み、
前記第２送信ユニットは、第１構成情報を前記端末に送信するように構成され、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【００４３】
本発明の実施例において、前記第１指示情報が第１ＢＷＰセットの指示情報である場合、前記第１指示情報は、前記端末が前記第１ＢＷＰセット内の各ＢＷＰをアクティブ化するようにするために使用され、
ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【００４４】
本発明の実施例において、前記リソース構成装置は、第３送信ユニットをさらに含み、
前記第３送信ユニットは、第２構成情報を前記端末に送信するように構成され、前記第２構成情報は、第１ＢＷＰセットに対応する第１期間情報を含み、
ここで、前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用される。
【００４５】
本発明の実施例において、前記リソース構成装置は、第４送信ユニットをさらに含み、
前記第４送信ユニットは、第３構成情報を前記端末に送信するように構成され、前記第３構成情報は、前記第１ＢＷＰセット内の第１ＢＷＰに対応する第２期間情報を含み、
ここで、前記第２期間情報は、前記第１ＢＷＰのアクティブ化された期間が前記第２期間に達する場合、前記端末が前記第１ＢＷＰを非アクティブ化するようにするために使用される。
【００４６】
本発明の実施例において、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第１指示情報は、前記端末が前記第２ＢＷＰセット内の各ＢＷＰをアクティブ化するようにするために使用され、
ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【００４７】
本発明の実施例において、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第１指示情報は、前記端末が前記第２ＢＷＰをアクティブ化するようにするために使用され、
ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【００４８】
本発明の実施例において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む。
【００４９】
本発明の実施例において、前記リソース構成装置は、第５送信ユニットをさらに含み、
前記第５送信ユニットは、第４構成情報を前記端末に送信するように構成され、前記第４構成情報は、第２ＢＷＰに対応する第３期間情報を含み、
ここで、前記第３期間情報は、前記第２ＢＷＰのアクティブ化された期間が前記第３期間に達する場合、前記端末が前記第２ＢＷＰセット内の各ＢＷＰを非アクティブ化するようにするために使用される。
【００５０】
本発明の実施例において、前記リソース構成装置は、第６送信ユニットをさらに含み、
前記第６送信ユニットは、第５構成情報を前記端末に送信するように構成され、前記第５構成情報は、前記第２ＢＷＰセット内の第３ＢＷＰに対応する第４期間情報を含み、
ここで、前記第４期間情報は、前記第３ＢＷＰのアクティブ化された期間が前記第４期間に達する場合、前記端末が前記第３ＢＷＰを非アクティブ化するようにするために使用され、前記第３ＢＷＰは、前記第２ＢＷＰとは異なる。
【００５１】
本発明の実施例によって提供されるコンピュータ記憶媒体は、コンピュータ実行可能な命令を記憶するように構成され、前記コンピュータ実行可能な命令がプロセッサによって実行されるとき、上記のリソース構成方法を実現する。
【発明の効果】
【００５２】
本発明の実施例の技術的解決策において、端末は、ネットワーク機器によって送信される第１制御情報を受信し、前記第１制御情報は、第１指示情報を含み、前記第１指示情報は、アクティブ化される少なくとも２つのダウンリンクＢＷＰまたはアップリンクＢＷＰを決定するために使用され、前記端末は、前記第１制御情報に従って、少なくとも２つのダウンリンクＢＷＰまたはアップリンクＢＷＰをアクティブ化する。本発明の実施例の技術的解決策を採用することにより、帯域幅部分セット（ＢＷＰセット）の概念が導入され、ＢＷＰセットを構成することでＢＷＰセット内の複数のＢＷＰを同時にアクティブ化することができ、アクティブ化された複数のＢＷＰを利用して信号を伝送することで、複数のタイプのサービスの同時伝送を柔軟にサポートすることができ、システムのスケジューリングの柔軟性およびスペクトル利用率を向上されることができる。
【図面の簡単な説明】
【００５３】
ここで説明した図面は、更なる理解を提供するために使用され、本出願の一部を構成し、本発明の例示的な実施例およびそれらの説明は、本発明を説明するために使用され、本発明に対して不当た限定を構成しない。
【図１】１つだけのＢＷＰがアクティブ状態であることができる概略図である。
【図２】本発明の実施例のリソース構成方法の例示的なフローチャート１である。
【図３】本発明の実施例のリソース構成方法の例示的なフローチャート２である。
【図４】本発明の実施例のＢＷＰセット内のＢＷＰが同時に非アクティブ化される概略図である。
【図５】本発明の実施例のＢＷＰセット内のＢＷＰそれぞれ非アクティブ化される概略図である。
【図６】本発明の実施例の１つのＢＷＰセット内のＢＷＰの周波数領域位置および帯域幅サイズが同じである概略図である。
【図７】本発明の実施例の１つのＢＷＰセット内のＢＷＰ２、…、ＢＷＰＮの周波数領域範囲がＢＷＰ１の周波数領域範囲内にある概略図である。
【図８】本発明の実施例の周波数領域位置および帯域幅サイズが同じであるＢＷＰが同時に非アクティブ化される概略図である。
【図９】本発明の実施例のＤＬ  ＢＷＰ１のｔｉｍｅｒ１が期限切れた後、ＤＬ  ＢＷＰ１およびＤＬ  ＢＷＰ１の周波数領域範囲内にあるＤＬ  ＢＷＰ２が同時に非アクティブ化される概略図である。
【図１０】本発明の実施例のＢＷＰ２がＢＷＰ１前に非アクティブ化される概略図である。
【図１１】本発明の実施例のＢＷＰ１がＢＷＰ２前に非アクティブ化される概略図である。
【図１２】本発明の実施例のリソース構成装置の構成の概略図１である。
【図１３】本発明の実施例のリソース構成装置の構成の概略図２である。
【図１４】本発明の実施例のコンピュータ機器の構成の概略図である。
【発明を実施するための形態】
【００５４】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００５５】
図２は、本発明の実施例のリソース構成方法の例示的なフローチャート１であり、図２に示すように、前記リソース構成方法は以下のステップを含む。
【００５６】
ステップ２０１：端末は、ネットワーク機器によって送信される第１制御情報を受信し、前記第１制御情報は、第１指示情報を含み、前記第１指示情報は、アクティブ化される少なくとも２つのダウンリンクＢＷＰまたはアップリンクＢＷＰを決定するために使用さる。
【００５７】
本発明の実施例において、前記端末は、携帯電話、タブレットコンピュータおよびデスクトップなどの任意のネットワークと通信することができる機器であり得る。
【００５８】
本発明の実施例において、前記ネットワーク機器は、５ＧシステムのｇＮＢなどの基地局であり得る。
【００５９】
本発明の実施例において、前記第１制御情報は、ＤＣＩまたはメディアアクセス制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【００６０】
ステップ２０２：前記端末は、前記第１制御情報に従って、少なくとも２つのダウンリンクＢＷＰまたはアップリンクＢＷＰをアクティブ化する。
【００６１】
本発明の実施例において、前記端末は、前記ネットワーク機器によって送信される第１構成情報を受信することをさらに含み、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【００６２】
ここで、１つのＢＷＰセットの構成情報は、当該ＢＷＰセットに含まれる各ＢＷＰのＢＷＰ  ＩＤ、周波数領域位置、帯域幅サイズおよびパラメータセットを含み、ここで、パラメータセットは、サブキャリア間隔およびＣＰを含む。
【００６３】
本発明の実施例において、前記第１構成情報は、ＲＲＣシグナリングまたはシステム情報（ＳＩ：Ｓｙｓｔｅｍ  Ｉｎｆｏｒｍａｔｉｏｎ）である。
【００６４】
本発明の実施例において、前記端末は、前記第１制御情報に従って、少なくとも２つのダウンリンクＢＷＰまたはアップリンクＢＷＰをアクティブ化することは、次の方法によって実現できる。
【００６５】
方法１は、前記第１指示情報が第１ＢＷＰセットの指示情報である場合、前記端末は、前記第１ＢＷＰセット内の各ＢＷＰをアクティブ化し、ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【００６６】
例えば：第１構成情報は、ダウンリンクまたはアップリンクの第１ＢＷＰセットの構成情報を含み、ここで、第１ＢＷＰセットは、ＢＷＰ１、…、ＢＷＰＮ（Ｎ≧２）を含む。端末は、前記第１ＢＷＰセットの指示情報を含む第１制御情報を受信した後、ＢＷＰ１、…、ＢＷＰＮをアクティブ化し、前記ＢＷＰ１、…、ＢＷＰＮは、ダウンリンクアクティブＢＷＰまたはアップリンクアクティブＢＷＰになる。
【００６７】
一実施形態において、前記リソース構成方法は、前記端末は、前記ネットワーク機器によって送信される第２構成情報を受信することと、前記第２構成情報は、前記第１ＢＷＰセットに対応する第１期間情報を含み、前記第１ＢＷＰセット内の各ＢＷＰのアクティブ化された期間が第１期間に達する場合、前記第１ＢＷＰセット内の各ＢＷＰを非アクティブ化することとをさらに含む。
【００６８】
例えば：端末は、ネットワーク機器によって送信される第２構成情報を受信し、前記第２構成情報は、前記第１ＢＷＰセットのタイマ（ｓｅｔ＿ｔｉｍｅｒ）の情報を含み、ｓｅｔ＿ｔｉｍｅｒが期限切れた（ｅｘｐｉｒｅ）後、前記ＢＷＰ１、…、ＢＷＰＮは、非アクティブ化される。
【００６９】
一実施形態において、前記リソース構成方法は、前記端末は、前記ネットワーク機器によって送信される第３構成情報を受信することと、前記第３構成情報は、前記第１ＢＷＰセット内の第１ＢＷＰに対応する第２期間情報を含み、前記第１ＢＷＰのアクティブ化された期間が前記第２期間に達する場合、前記第１ＢＷＰを非アクティブ化することとをさらに含む。
【００７０】
例えば、端末は、ネットワーク機器によって送信される第３構成情報を受信し、前記第３構成情報は、ＢＷＰｉ（ｉ＝１、…、Ｎ）のタイマ（ｔｉｍｅｒｉ）情報を含み、ｔｉｍｅｒｉが期限切れた（ｅｘｐｉｒｅ）後、ＢＷＰｉは非アクティブ化される。
【００７１】
一実施形態において、前記リソース構成方法は、前記第１ＢＷＰセット内の各ＢＷＰが全部非アクティブ化された場合、デフォルトＢＷＰをアクティブ化することをさらに含む。
【００７２】
例えば：第１ＢＷＰセット内のＢＷＰ１、…、ＢＷＰＮが全部非アクティブ化された後、ダウンリンクアクティブＢＷＰまたはアップリンクアクティブＢＷＰは、デフォルトＢＷＰに変更される。
【００７３】
方法２は、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記端末は、前記第２ＢＷＰセット内の各ＢＷＰをアクティブ化することを含み、ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【００７４】
例えば：第１構成情報は、ダウンリンクまたはアップリンクの第２ＢＷＰセットの構成情報を含み、ここで、第２ＢＷＰセットは、ＢＷＰ１、…、ＢＷＰＮ（Ｎ≧２）を含む。第２ＢＷＰセットのＢＷＰ１、…、ＢＷＰＮ（Ｎ≧２）がプリセットのルールを満たす場合、端末は、ＢＷＰ１の指示情報を含む第１制御情報を受信した後、ＢＷＰ１、…、ＢＷＰＮをアクティブ化し、前記ＢＷＰ１、…、ＢＷＰＮは、ダウンリンクアクティブＢＷＰまたはアップリンクアクティブＢＷＰになる。
【００７５】
一実施形態において、前記リソース構成方法は、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記端末は、前記第２ＢＷＰをアクティブ化することと、ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【００７６】
例えば：構成された第２ＢＷＰセット内に、プリセットのルールを満たすＢＷＰ１、…、ＢＷＰＮ（Ｎ≧２）が存在しない場合、端末がＢＷＰ１の指示情報を含む第１制御情報を受信した後に、前記ＢＷＰ１は、ダウンリンクアクティブＢＷＰまたはアップリンクアクティブＢＷＰになる。
【００７７】
本発明の実施例において、前記第２ＢＷＰセット内の各ＢＷＰが満たすプリセットのルールは、以下のうちの少なくとも１つを含む。
【００７８】
１）前記第２ＢＷＰセット内の各ＢＷＰの周波数領域位置および帯域幅サイズが一致することであり、
例えば、ＢＷＰ１、…、ＢＷＰＮの周波数領域位置および帯域幅サイズが一致することである。
【００７９】
２）前記第２ＢＷＰセット内の前記第２ＢＷＰ以外の各ＢＷＰの周波数領域範囲が前記第２ＢＷＰの周波数領域範囲内にあることであり、
例えば、ＢＷＰ２、…、ＢＷＰＮの周波数領域範囲がＢＷＰ１の周波数領域範囲内にあることである。
【００８０】
３）前記端末の無線周波数帯域幅能力が同時に前記第２ＢＷＰセット内の各ＢＷＰの周波数領域範囲をカバできることであり、
例えば、前記端末の無線周波数帯域幅能力が同時にＢＷＰ１、…、ＢＷＰＮの周波数領域範囲をカバできることである。
【００８１】
一実施形態において、前記リソース構成方法は、前記端末は、前記ネットワーク機器によって送信される第４構成情報受信することであって、前記第４構成情報は、前記第２ＢＷＰに対応する第３期間情報を含むことと、前記第２ＢＷＰのアクティブ化された期間が前記第３期間に達する場合、前記第２ＢＷＰセット内の各ＢＷＰを非アクティブ化することとをさらに含む。
【００８２】
例えば：前記ＢＷＰ１のタイマ（ｔｉｍｅｒ１）が期限切れた（ｅｘｐｉｒｅ）後、前記ＢＷＰ１、…、ＢＷＰＮは、非アクティブ化される。
【００８３】
一実施形態において、前記リソース構成方法は、前記端末は、前記ネットワーク機器によって送信される第５構成情報を受信することと、前記第５構成情報は、前記第２ＢＷＰセット内の第３ＢＷＰに対応する第４期間情報を含み、前記第３ＢＷＰのアクティブ化された期間が前記第４期間に達する場合、前記第３ＢＷＰを非アクティブ化することとをさらに含み、ここで、前記第３ＢＷＰは、前記第２ＢＷＰとは異なる。
【００８４】
例えば：ＢＷＰｉ（ｉ＝２、…、Ｎ）のタイマが期限切れた（ｅｘｐｉｒｅ）後、ＢＷＰｉは、非アクティブ化される。
【００８５】
本発明の実施例において、前記リソース構成方法は、前記第２ＢＷＰセット内の各ＢＷＰが全部非アクティブ化された場合、デフォルトＢＷＰをアクティブ化することをさらに含む。
【００８６】
例えば：第２ＢＷＰセット内のＢＷＰ１、…、ＢＷＰＮが全部非アクティブ化された後、ダウンリンクアクティブＢＷＰまたはアップリンクアクティブＢＷＰは、デフォルトＢＷＰに変更される。
【００８７】
図３は、本発明の実施例のリソース構成方法の例示的なフローチャート２であり、図３に示すように、前記リソース構成方法は以下のステップを含む。
【００８８】
ステップ３０１：端末が第１制御情報に従って、少なくとも２つのダウンリンクＢＷＰまたはアップリンクＢＷＰをアクティブ化するように、ネットワーク機器は、前記端末に前記第１制御情報を送信し、ここで、前記第１制御情報は、第１指示情報を含み、前記第１指示情報は、アクティブ化される少なくとも２つのダウンリンクＢＷＰまたはアップリンクＢＷＰを決定するために使用される。
【００８９】
一実施形態において、前記リソース構成方法は、前記ネットワーク機器は、第１構成情報を前記端末に送信することをさらに含み、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【００９０】
本発明の実施例において、前記第１指示情報は、アクティブ化される少なくとも２つのダウンリンクＢＷＰまたはアップリンクＢＷＰを決定するために使用されことは、次の方法によって実現できる。
【００９１】
方法１は、前記第１指示情報が第１ＢＷＰセットの指示情報である場合、前記第１指示情報は、前記端末が前記第１ＢＷＰセット内の各ＢＷＰをアクティブ化するようにするために使用され、ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【００９２】
一実施形態において、前記リソース構成方法は、前記ネットワーク機器は、第２構成情報を前記端末に送信することをさらに含み、前記第２構成情報は、第１ＢＷＰセットに対応する第１期間情報を含み、ここで、前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用される。
【００９３】
一実施形態において、前記リソース構成方法は、前記ネットワーク機器は、第３構成情報を前記端末に送信することをさらに含み、前記第３構成情報は、前記第１ＢＷＰセット内の第１ＢＷＰに対応する第２期間情報を含み、ここで、前記第２期間情報は、前記第１ＢＷＰのアクティブ化された期間が前記第２期間に達する場合、前記端末が前記第１ＢＷＰを非アクティブ化するようにするために使用される。
【００９４】
方法２は、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第１指示情報は、前記端末が前記第２ＢＷＰセット内の各ＢＷＰをアクティブ化するようにするために使用されることを含み、ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【００９５】
一実施形態において、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第１指示情報は、前記端末が前記第２ＢＷＰをアクティブ化するようにするために使用され、ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【００９６】
一実施形態において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む。
【００９７】
一実施形態において、前記リソース構成方法は、前記ネットワーク機器は、第４構成情報を前記端末に送信することをさらに含み、前記第４構成情報は、前記第２ＢＷＰセットに対応する第３期間情報を含み、ここで、前記第３期間情報は、前記第２ＢＷＰのアクティブ化された期間が前記第３期間に達する場合、前記端末が前記第２ＢＷＰセット内の各ＢＷＰを非アクティブ化するようにするために使用される。
【００９８】
一実施形態において、前記リソース構成方法は、前記ネットワーク機器は、第５構成情報を前記端末に送信することをさらに含み、前記第５構成情報は、前記第２ＢＷＰセット内の第３ＢＷＰに対応する第４期間情報を含み、ここで、前記第４期間情報は、前記第３ＢＷＰのアクティブ化された期間が前記第４期間に達する場合、前記端末が前記第３ＢＷＰを非アクティブ化するようにするために使用され、ここで、前記第３ＢＷＰは、前記第２ＢＷＰとは異なる。
【００９９】
以下、具体的な応用例を参照して、本発明の実施例の技術的解決策についてさらに説明する。
【０１００】
例１：ＢＷＰセットの構成とアクティブ化
表１および表２に示すように、第１構成情報は、４つのダウンリンクＢＷＰを構成し、２つのダウンリンクＢＷＰセットがそれらのＢＷＰを含むように構成し，ここで、ＤＬ  ＢＷＰセット１は、ＤＬ  ＢＷＰ１とＤＬ  ＢＷＰ２を含み、ＤＬ  ＢＷＰセット２は、ＤＬ  ＢＷＰ３とＤＬ  ＢＷＰ４を含む。第１制御情報にＤＬ  ＢＷＰセット１のＩＤが含まれる場合、ＤＬ  ＢＷＰ１およびＤＬ  ＢＷＰ２は同時にアクティブ化され、第１制御情報にＤＬ  ＢＷＰセット２のＩＤが含まれる場合、ＤＬ  ＢＷＰ３およびＤＬ  ＢＷＰ  は同時にアクティブ化される。
【表１】
2021518066.tif 000003
【表２】
2021518066.tif 000004
【０１０１】
同じ効果を実現できる別の方法は、表３に示すようであり、即ち、２つのダウンリンクＢＷＰセットを構成し、各ＢＷＰセット内に含まれるＢＷＰを構成する。
【表３】
2021518066.tif 000005
【０１０２】
アップリンクＢＷＰセットの構成およびアクティブ化方法は、ダウンリンクＢＷＰセットと同じであることを理解されたい。
【０１０３】
例２：ＢＷＰセット内のＢＷＰが同時に非アクティブ化される
図４に示すように、ＤＬ  ＢＷＰセット１のＤＬ  ＢＷＰ１およびＤＬ  ＢＷＰ２がアクティブ状態である場合、ＤＬ  ＢＷＰセット１のｔｉｍｅｒが期限切れになると、ＤＬ  ＢＷＰ１およびＤＬ  ＢＷＰ２は、同時に非アクティブ化される。
【０１０４】
アップリンクＢＷＰセットの構成およびアクティブ化方法は、ダウンリンクＢＷＰセットと同じであることを理解されたい。
【０１０５】
例３：ＢＷＰセット内のＢＷＰがそれぞれ非アクティブ化される
図５に示すように、ＤＬ  ＢＷＰセット１のＤＬ  ＢＷＰ１およびＤＬ  ＢＷＰ２がアクティブ状態である場合、ＤＬ  ＢＷＰ２のｔｉｍｅｒ２が期限切れになると、ＤＬ  ＢＷＰ２は非アクティブ化され、ＤＬ  ＢＷＰ１のｔｉｍｅｒ１が期限切れになると、ＤＬ  ＢＷＰ１も非アクティブ化される。
【０１０６】
アップリンクＢＷＰセットの構成およびアクティブ化方法は、ダウンリンクＢＷＰセットと同じであることを理解されたい。
【０１０７】
例４：ＢＷＰセットの構成とアクティブ化
表４および図６は、１つのＢＷＰセット内のＢＷＰの周波数領域位置および帯域幅サイズが同じである最初のプリセットのルールを示す。第１構成情報は、４つのダウンリンクＢＷＰを構成し、ここで、ＤＬ  ＢＷＰ１とＤＬ  ＢＷＰ２の周波数領域位置および帯域幅サイズは同じであり、１つのＤＬ  ＢＷＰセットを形成し、ＤＬ  ＢＷＰ３とＤＬ  ＢＷＰ４の周波数領域位置および帯域幅サイズは同じであり、別のＤＬ  ＢＷＰセットを形成する。第１制御情報にＤＬ  ＢＷＰ１またはＤＬ  ＢＷＰ２のＩＤが含まれる場合、ＤＬ  ＢＷＰ１およびＤＬ  ＢＷＰ２は同時にアクティブ化され、第１制御情報にＤＬ  ＢＷＰ３またはＤＬ  ＢＷＰ４のＩＤが含まれる場合、ＤＬ  ＢＷＰ３およびＤＬ  ＢＷＰ４は同時にアクティブ化される。
【表４】
2021518066.tif 000006
【０１０８】
表５および図７は、１つのＢＷＰセット内のＢＷＰ２、…、ＢＷＰＮの周波数領域範囲がＢＷＰ１の周波数領域範囲内にある２番目のプリセットのルールを示す。第１構成情報は、４つのダウンリンクＢＷＰを構成し、ここで、ＤＬ  ＢＷＰ２の周波数領域範囲はＤＬ  ＢＷＰ１の周波数領域範囲内にあり、ＤＬ  ＢＷＰ１およびＤＬ  ＢＷＰ２は、１つのＤＬ  ＢＷＰセットを形成し、ＤＬ  ＢＷＰ４の周波数領域範囲はＤＬ  ＢＷＰ３の周波数領域範囲内にあり、ＤＬ  ＢＷＰ３およびＤＬ  ＢＷＰ４は、別のＤＬ  ＢＷＰセットを形成する。第１制御情報にＤＬ  ＢＷＰ１またはＤＬ  ＢＷＰ２のＩＤが含まれる場合、ＤＬ  ＢＷＰ１およびＤＬ  ＢＷＰ２は同時にアクティブ化され、第１制御情報にＤＬ  ＢＷＰ３またはＤＬ  ＢＷＰ４のＩＤが含まれる場合、ＤＬ  ＢＷＰ３およびＤＬ  ＢＷＰ４は同時にアクティブ化される。
【０１０９】
【表５】
2021518066.tif 000007
【０１１０】
アップリンクＢＷＰセットの構成およびアクティブ化方法は、ダウンリンクＢＷＰセットと同じであることを理解されたい。
【０１１１】
例５：ＢＷＰセット内のＢＷＰが同時に非アクティブ化される
図８および図９に示すように、ＤＬ  ＢＷＰ１およびＤＬ  ＢＷＰ２が同時にアクティブ状態であり、且つＤＬ  ＢＷＰ１およびＤＬ  ＢＷＰ２の周波数領域位置および帯域幅サイズが同じまたはＤＬ  ＢＷＰ２の周波数領域範囲がＤＬ  ＢＷＰ１の周波数領域範囲内にある場合、ＤＬ  ＢＷＰ１のｔｉｍｅｒ１が期限切れた後、ＤＬ  ＢＷＰ１およびＤＬ  ＢＷＰ２は同時に非アクティブ化される。
【０１１２】
アップリンクＢＷＰセットの構成およびアクティブ化方法は、ダウンリンクＢＷＰセットと同じであることを理解されたい。
【０１１３】
例６：ＢＷＰセット内のＢＷＰがそれぞれ非アクティブ化される
図１０および図１１に示すように、ＤＬ  ＢＷＰ１およびＤＬ  ＢＷＰ２が同時にアクティブ状態である場合、ＤＬ  ＢＷＰ１のｔｉｍｅｒ１が期限切れた後、ＤＬ  ＢＷＰ１は非アクティブ化され、ＤＬ  ＢＷＰ２はまだアクティブ状態である。ＤＬ  ＢＷＰ２のｔｉｍｅｒ２が期限切れた後、ＤＬ  ＢＷＰ２は非アクティブ化され、ＤＬ  ＢＷＰ１はまだアクティブ状態である。
【０１１４】
アップリンクＢＷＰセットの構成およびアクティブ化方法は、ダウンリンクＢＷＰセットと同じであることを理解されたい。
【０１１５】
図１２は、本発明の実施例のリソース構成装置の構成の概略図１であり、図１２に示すように、前記リソース構成装置は、第１受信ユニット１２０１と、アクティブ化ユニット１２０２とを含み、
前記第１受信ユニット１２０１は、ネットワーク機器によって送信される第１制御情報を受信するように構成され、前記第１制御情報は、第１指示情報を含み、前記第１指示情報は、アクティブ化される少なくとも２つのダウンリンクＢＷＰまたはアップリンクＢＷＰを決定するために使用され、
前記アクティブ化ユニット１２０２は、前記第１制御情報に従って、少なくとも２つのダウンリンクＢＷＰまたはアップリンクＢＷＰをアクティブ化するように構成される。
【０１１６】
一実施形態において、前記リソース構成装置は、第２受信ユニット１２０３をさらに含み、
前記第２受信ユニット１２０３は、前記ネットワーク機器によって送信される第１構成情報を受信するように構成され、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む、
一実施形態において、前記アクティブ化ユニット１２０２は、前記第１指示情報が第１ＢＷＰセットの指示情報である場合、前記第１ＢＷＰセット内の各ＢＷＰをアクティブ化するように構成され、
ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【０１１７】
一実施形態において、前記リソース構成装置は、第３受信ユニット１２０４と、非アクティブ化ユニット１２０５とをさらに含み、
前記第３受信ユニット１２０４は、前記ネットワーク機器によって送信される第２構成情報を受信するように構成され、前記第２構成情報は、前記第１ＢＷＰセットに対応する第１期間情報を含み、
前記非アクティブ化ユニット１２０５は、前記第１ＢＷＰセット内の各ＢＷＰのアクティブ化された期間が第１期間に達する場合、前記第１ＢＷＰセット内の各ＢＷＰを非アクティブ化するように構成される。
【０１１８】
一実施形態において、前記リソース構成装置は、第４受信ユニット１２０６と、非アクティブ化ユニット１２０５とをさらに含み、
前記第４受信ユニット１２０６は、前記ネットワーク機器によって送信される第３構成情報を受信するように構成され、前記第３構成情報は、前記第１ＢＷＰセット内の第１ＢＷＰに対応する第２期間情報を含み、
前記非アクティブ化ユニット１２０５は、前記第１ＢＷＰのアクティブ化された期間が前記第２期間に達する場合、前記第１ＢＷＰを非アクティブ化するように構成される。
【０１１９】
一実施形態において、前記アクティブ化ユニット１２０２は、さらに、前記第１ＢＷＰセット内の各ＢＷＰが全部非アクティブ化された場合、デフォルトＢＷＰをアクティブ化するように構成される。
【０１２０】
一実施形態において、前記アクティブ化ユニット１２０２は、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第２ＢＷＰセット内の各ＢＷＰをアクティブ化するように構成され、
ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【０１２１】
一実施形態において、前記アクティブ化ユニット１２０２は、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第２ＢＷＰをアクティブ化するように構成され、
ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【０１２２】
一実施形態において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む。
【０１２３】
一実施形態において、前記リソース構成装置は、第５受信ユニット１２０７と、非アクティブ化ユニット１２０５とをさらに含み、
前記第５受信ユニット１２０７は、前記ネットワーク機器によって送信される第４構成情報を受信するように構成され、前記第４構成情報は、前記第２ＢＷＰに対応する第３期間情報を含み、
前記非アクティブ化ユニット１２０５は、前記第２ＢＷＰのアクティブ化された期間が前記第３期間に達する場合、前記第２ＢＷＰセット内の各ＢＷＰを非アクティブ化するように構成される。
【０１２４】
一実施形態において、前記リソース構成装置は、第６受信ユニット１２０８と、非アクティブ化ユニット１２０５とをさらに含み、
前記第６受信ユニット１２０８は、前記ネットワーク機器によって送信される第５構成情報を受信するように構成され、前記第５構成情報は、前記第２ＢＷＰセット内の第３ＢＷＰに対応する第４期間情報を含み、
前記非アクティブ化ユニット１２０５は、前記第３ＢＷＰのアクティブ化された期間が前記第４期間に達する場合、前記第３ＢＷＰを非アクティブ化するように構成され、ここで、前記第３ＢＷＰは、前記第２ＢＷＰとは異なる。
【０１２５】
一実施形態において、前記アクティブ化ユニット１２０２は、さらに、前記第２ＢＷＰセット内の各ＢＷＰが全部非アクティブ化された場合、デフォルトＢＷＰをアクティブ化するように構成される。
【０１２６】
当業者は、図１２に示すリソース構成装置の各ユニットによって実現される機能は、上記のリソース構成方法に関する説明を参照することによって理解され得ることを理解されたい。図７に示すリソース構成装置の各ユニットの機能は、プロセッサで実行されるプログラムによって実現されてもよいし、特定の論理回路によって実現されてもよい。
【０１２７】
図１３は、本発明の実施例のリソース構成装置の構成の概略図２であり、図１３に示すように、前記リソース構成装置は、第１送信ユニット１３０１を含み、
前記第１送信ユニット１３０１は、端末が第１制御情報に従って、少なくとも２つのダウンリンクＢＷＰまたはアップリンクＢＷＰをアクティブ化するように、前記端末に前記第１制御情報を送信するように構成され、ここで、前記第１制御情報は、第１指示情報を含み、前記第１指示情報は、アクティブ化される少なくとも２つのダウンリンクＢＷＰまたはアップリンクＢＷＰを決定するために使用される。
【０１２８】
一実施形態において、前記リソース構成装置は、第２送信ユニット１３０２をさらに含み、
前記第２送信ユニット１３０２は、第１構成情報を前記端末に送信するように構成され、前記第１構成情報は、少なくとも１つのダウンリンクＢＷＰセットまたはアップリンクＢＷＰセットの構成情報を含み、ここで、前記ダウンリンクＢＷＰセットは、複数のダウンリンクＢＷＰを含み、前記アップリンクＢＷＰセットは、複数のアップリンクＢＷＰを含む。
【０１２９】
一実施形態において、前記第１指示情報が第１ＢＷＰセットの指示情報である場合、前記第１指示情報は、前記端末が前記第１ＢＷＰセット内の各ＢＷＰをアクティブ化するようにするために使用され、
ここで、前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである。
【０１３０】
一実施形態において、前記リソース構成装置は、第３送信ユニット１３０３をさらに含み、
前記第３送信ユニット１３０３は、第２構成情報を前記端末に送信するように構成され、前記第２構成情報は、第１ＢＷＰセットに対応する第１期間情報を含み、
ここで、前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用される。
【０１３１】
一実施形態において、前記リソース構成装置は、第４送信ユニット１３０４をさらに含み、
前記第４送信ユニット１３０４は、第３構成情報を前記端末に送信するように構成され、前記第３構成情報は、前記第１ＢＷＰセット内の第１ＢＷＰに対応する第２期間情報を含み、
ここで、前記第２期間情報は、前記第１ＢＷＰのアクティブ化された期間が前記第２期間に達する場合、前記端末が前記第１ＢＷＰを非アクティブ化するようにするために使用される。
【０１３２】
一実施形態において、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第１指示情報は、前記端末が前記第２ＢＷＰセット内の各ＢＷＰをアクティブ化するようにするために使用され、
ここで、前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰである。
【０１３３】
一実施形態において、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第１指示情報は、前記端末が前記第２ＢＷＰをアクティブ化するようにするために使用され、
ここで、前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである。
【０１３４】
一実施形態において、前記第２ＢＷＰセット内の各ＢＷＰが満たすプリセットのルールは、
前記第２ＢＷＰセット内の各ＢＷＰの周波数領域位置および帯域幅サイズが一致すること、または、
前記第２ＢＷＰセット内の、前記第２ＢＷＰ以外の各ＢＷＰの周波数領域範囲が前記第２ＢＷＰの周波数領域範囲内にあること、または、
前記端末の無線周波数帯域幅能力が同時に前記第２ＢＷＰセット内の各ＢＷＰの周波数領域範囲をカバーすることができることを含む。
【０１３５】
一実施形態において、前記リソース構成装置は、第５送信ユニット１３０５をさらに含み、
前記第５送信ユニット１３０５は、第４構成情報を前記端末に送信するように構成され、前記第４構成情報は、第２ＢＷＰに対応する第３期間情報を含み、
ここで、前記第３期間情報は、前記第２ＢＷＰのアクティブ化された期間が前記第３期間に達する場合、前記端末が前記第２ＢＷＰセット内の各ＢＷＰを非アクティブ化するようにするために使用される。
【０１３６】
一実施形態において、前記リソース構成装置は、第６送信ユニット１３０６をさらに含み、
前記第６送信ユニット１３０６は、第５構成情報を前記端末に送信するように構成され、前記第５構成情報は、前記第２ＢＷＰセット内の第３ＢＷＰに対応する第４期間情報を含み、
ここで、前記第４期間情報は、前記第３ＢＷＰのアクティブ化された期間が前記第４期間に達する場合、前記端末が前記第３ＢＷＰを非アクティブ化するようにするために使用され、ここで、前記第３ＢＷＰは、前記第２ＢＷＰとは異なる。
【０１３７】
当業者は、図１３に示すリソース構成装置の各ユニットによって実現される機能は、上記のリソース構成方法に関する説明を参照することによって理解され得ることを理解されたい。図１３に示すリソース構成装置の各ユニットの機能は、プロセッサで実行されるプログラムによって実現されてもよいし、特定の論理回路によって実現されてもよい。
【０１３８】
本発明の実施例の前記装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【０１３９】
対応的に、本発明の実施例は、コンピュータ記憶媒体をさらに提供し、前記コンピュータ記憶媒体は、コンピュータ実行可能な命令を記憶するように構成され、前記コンピュータ実行可能な命令がプロセッサによって実行されるときに、本発明の実施例のリソース構成方法を実現する。
【０１４０】
図１４は、本発明の実施例のコンピュータ機器の構成の概略図であり、当該コンピュータ機器は、端末であってもよく、ネットワーク機器であってもよい。図１４に示すように、コンピュータ機器１００は、１つまたは複数（図では１つだけが示される）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含むことができるが、これらに限定されない）、データを記憶するためのメモリ１００４、および通信機能のための伝送装置１００６を含むことができる。当業者は、図１４に示される構造が単なる例示であって、前述の電子装置の構造を限定しないことを理解することができる。例えば、コンピュータ機器１００は、図１４に示すものよりも多いまたは少ないコンポーネントを含み得るか、または図１４に示すものとは異なる構成を有し得る。
【０１４１】
メモリ１００４は、本発明の実施例における方法に対応するプログラム命令／モジュールなどのアプリケーションプログラムのソフトウェアプログラムおよびモジュールを記憶するように構成されることができ、プロセッサ１００２は、メモリ１００４に記憶されたソフトウェアプログラムおよびモジュールを実行することにより、様々な機能アプリケーションおよびデータ処理を実行し、即ち、上記の方法を実現する。メモリ１００４は、高速ランダムアクセスメモリを含むことができ、１つまたは複数の磁気記憶装置、フラッシュメモリ、または他の不揮発性ソリッドステートメモリなどの不揮発性メモリを含むこともできる。一実施形態において、メモリ１００４は、プロセッサ１００２に対してリモートで設置されたメモリをさらに含むことができ、これらのリモートメモリは、ネットワークを介してコンピュータ機器１００に接続されることができる。上記のネットワークの例には、インターネット、イントラネット、ローカルエリアネットワーク、モバイル通信ネットワーク、およびそれらの組み合わせが含まれるが、これらに限定されない。
【０１４２】
伝送装置１００６は、ネットワークを介してデータを受信または送信するために使用される。上記ネットワークの具体例は、コンピュータ機器１００の通信事業者が提供する無線ネットワークを含むことができる。一実施形態において、伝送装置１００６は、基地局を介して他のネットワーク機器と接続してインターネットと通信することができるネットワークインターフェースコントローラ（ＮＩＣ：Ｎｅｔｗｏｒｋ  Ｉｎｔｅｒｆａｃｅ  Ｃｏｎｔｒｏｌｌｅｒ）を含む。一実施形態において、伝送装置１００６は、無線方式でインターネットと通信するために使用される無線周波数（ＲＦ：Ｒａｄｉｏ  Ｆｒｅｑｕｅｎｃｙ）モジュールであり得る。
【０１４３】
本発明の実施例で説明された技術的解決策は、競合しない場合、任意に組み合わせることができる。
【０１４４】
本発明によって提供されるいくつかの実施例では、開示された方法およびスマート機器は、他の方法で実現され得ることを理解されたい。上記で説明された機器の実施例は単なる例示的であり、例えば、前記ユニットの分割は論理的な機能の分割に過ぎない。実際の実現では、例えば、複数のユニットまたはコンポーネントを組み合わせたり、別のシステムに統合したり、一部の特徴を無視したり、実行しないなど、別の分割方法があることができる。なお、表示または議論される各構成要素間の相互結合または直接結合または通信接続は、いくつかのインターフェース、機器またはユニットを介した間接な結合または通信接続であり得、電気的、機械的または他の形態であり得る。
【０１４５】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現することができる。
【０１４６】
なお、本発明の各実施例における各機能ユニットは、全部１つの第２処理ユニットに統合してもよいし、各ユニットを別々に１つのユニットとして使用してもよいし、２つ以上のユニットを１つのユニットに統合してもよい。上記の統合されたユニットは、ハードウェアの形態で、またはハードウェアおよびソフトウェア機能ユニットの形態で具現することができる。
【０１４７】
上記の内容は、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021518066.tif 000008
【図２】
2021518066.tif 000009
【図３】
2021518066.tif 000010
【図４】
2021518066.tif 000011
【図５】
2021518066.tif 000012
【図６】
2021518066.tif 000013
【図７】
2021518066.tif 000014
【図８】
2021518066.tif 000015
【図９】
2021518066.tif 000016
【図１０】
2021518066.tif 000017
【図１１】
2021518066.tif 000018
【図１２】
2021518066.tif 000019
【図１３】
2021518066.tif 000020
【図１４】
2021518066.tif 000021
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
リソース構成方法であって、
端末は、ネットワーク機器によって送信される第１制御情報を受信することであって、前記第１制御情報は、第１指示情報を含み、前記第１指示情報は、アクティブ化される少なくとも２つのダウンリンク帯域幅部分（ＢＷＰ）またはアップリンクＢＷＰを決定するために使用されることと、
前記端末は、前記第１制御情報に従って、少なくとも２つのダウンリンクＢＷＰまたはアップリンクＢＷＰをアクティブ化することとを含む、前記リソース構成方法。
【請求項２】
前記リソース構成方法は、
前記端末は、前記ネットワーク機器によって送信される第１構成情報を受信することをさらに含み、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項１に記載のリソース構成方法。
【請求項３】
前記端末は、前記第１制御情報に従って、少なくとも２つのダウンリンクＢＷＰまたはアップリンクＢＷＰをアクティブ化することは、
前記第１指示情報が第１ＢＷＰセットの指示情報である場合、前記端末は、前記第１ＢＷＰセット内の各ＢＷＰをアクティブ化することを含み、
前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである、
請求項２に記載のリソース構成方法。
【請求項４】
前記リソース構成方法は、
前記端末は、前記ネットワーク機器によって送信される第２構成情報を受信することであって、前記第２構成情報は、前記第１ＢＷＰセットに対応する第１期間情報を含むことと、
前記第１ＢＷＰセット内の各ＢＷＰのアクティブ化された期間が前記第１期間に達する場合、前記第１ＢＷＰセット内の各ＢＷＰを非アクティブ化することとをさらに含み、
または、
前記リソース構成方法は、
前記端末は、前記ネットワーク機器によって送信される第３構成情報を受信することであって、前記第３構成情報は、前記第１ＢＷＰセット内の第１ＢＷＰに対応する第２期間情報を含むことと、
前記第１ＢＷＰのアクティブ化された期間が前記第２期間に達する場合、前記第１ＢＷＰを非アクティブ化することとをさらに含む、
請求項３に記載のリソース構成方法。
【請求項５】
前記リソース構成方法は、
前記第１ＢＷＰセット内の各ＢＷＰが全部非アクティブ化された場合、デフォルトＢＷＰをアクティブ化することをさらに含む、
請求項４に記載のリソース構成方法。
【請求項６】
リソース構成方法であって、
端末が第１制御情報に従って、少なくとも２つのダウンリンク帯域幅部分（ＢＷＰ）またはアップリンクＢＷＰをアクティブ化するように、ネットワーク機器は、前記第１制御情報を前記端末に送信することをさらに含み、前記第１制御情報は、第１指示情報を含み、前記第１指示情報は、アクティブ化される少なくとも２つのダウンリンクＢＷＰまたはアップリンクＢＷＰを決定するために使用される、前記リソース構成方法。
【請求項７】
前記リソース構成方法は、
前記ネットワーク機器は、第１構成情報を前記端末に送信することをさらに含み、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項６に記載のリソース構成方法。
【請求項８】
前記第１指示情報が第１ＢＷＰセットの指示情報である場合、前記第１指示情報は、前記端末が前記第１ＢＷＰセット内の各ＢＷＰをアクティブ化するようにするために使用され、
前記第１ＢＷＰセットがダウンリンクＢＷＰセットである場合、前記第１ＢＷＰセット内の各ＢＷＰは、ダウンリンクＢＷＰであり、前記第１ＢＷＰセットがアップリンクＢＷＰセットである場合、前記第１ＢＷＰセット内の各ＢＷＰは、アップリンクＢＷＰである、
請求項７に記載のリソース構成方法。
【請求項９】
前記リソース構成方法は、
前記ネットワーク機器は、第２構成情報を前記端末に送信することをさらに含み、前記第２構成情報は、第１ＢＷＰセットに対応する第１期間情報を含み、
前記第１期間情報は、前記第１ＢＷＰセット内の各ＢＷＰのアクティブ化された期間が前記第１期間に達する場合、前記端末が前記第１ＢＷＰセット内の各ＢＷＰを非アクティブ化するようにするために使用され、
または、
前記リソース構成方法は、
前記ネットワーク機器は、第３構成情報を前記端末に送信することをさらに含み、前記第３構成情報は、前記第１ＢＷＰセット内の第１ＢＷＰに対応する第２期間情報を含み、
前記第２期間情報は、前記第１ＢＷＰのアクティブ化された期間が前記第２期間に達する場合、前記端末が前記第１ＢＷＰを非アクティブ化するようにするために使用される、
請求項８に記載のリソース構成方法。
【請求項１０】
リソース構成装置であって、
第１受信ユニットと、アクティブ化ユニットとを含み、
前記第１受信ユニットは、ネットワーク機器によって送信される第１制御情報を受信するように構成され、前記第１制御情報は、第１指示情報を含み、前記第１指示情報は、アクティブ化される少なくとも２つのダウンリンク帯域幅部分（ＢＷＰ）またはアップリンクＢＷＰを決定するために使用され、
前記アクティブ化ユニットは、前記第１制御情報に従って、少なくとも２つのダウンリンクＢＷＰまたはアップリンクＢＷＰをアクティブ化するように構成される、前記リソース構成装置。
【請求項１１】
前記リソース構成装置は、
第２受信ユニットをさらに含み、
前記第２受信ユニットは、前記ネットワーク機器によって送信される第１構成情報を受信するように構成され、前記第１構成情報は、少なくとも１つのダウンリンクＢＷＰセットまたはアップリンクＢＷＰセットの構成情報を含み、前記ダウンリンクＢＷＰセットは、複数のダウンリンクＢＷＰを含み、前記アップリンクＢＷＰセットは、複数のアップリンクＢＷＰを含む、
請求項１０に記載のリソース構成装置。
【請求項１２】
前記アクティブ化ユニットは、前記第１構成情報に基づいて、第２ＢＷＰセット内の各ＢＷＰがプリセットのルールを満たすと決定し、且つ前記第１指示情報が前記第２ＢＷＰセット内の第２ＢＷＰの指示情報である場合、前記第２ＢＷＰセット内の各ＢＷＰをアクティブ化するように構成され、
前記第２ＢＷＰセットがダウンリンクＢＷＰセットである場合、前記第２ＢＷＰセット内の各ＢＷＰは、ダウンリンクＢＷＰであり、前記第２ＢＷＰセットがアップリンクＢＷＰセットである場合、前記第２ＢＷＰセット内の各ＢＷＰは、アップリンクＢＷＰであり、
または、
前記アクティブ化ユニットは、前記第１構成情報に基づいて、第２ＢＷＰセット内の各ＢＷＰがプリセットのルールを満たさないと決定し、且つ前記第１指示情報が前記第２ＢＷＰセット内の第２ＢＷＰの指示情報である場合、前記第２ＢＷＰをアクティブ化するように構成され、
前記第２ＢＷＰセットがダウンリンクＢＷＰセットである場合、前記第２ＢＷＰは、ダウンリンクＢＷＰであり、前記第２ＢＷＰセットがアップリンクＢＷＰセットである場合、前記第２ＢＷＰは、アップリンクＢＷＰである、
請求項１１に記載のリソース構成装置。
【請求項１３】
前記第２ＢＷＰセット内の各ＢＷＰが満たすプリセットのルールは、
前記第２ＢＷＰセット内の各ＢＷＰ的周波数領域位置および帯域幅サイズが一致すること、または、
前記第２ＢＷＰセット内の、各ＢＷＰの周波数領域位置および帯域幅サイズが一致すること、または、
前記端末の無線周波数帯域幅能力が同時に前記第２ＢＷＰセット内の各ＢＷＰの周波数領域範囲をカバーすることができることを含む、
請求項１２に記載のリソース構成装置。
【請求項１４】
前記リソース構成装置は、
第５受信ユニットと、非アクティブ化ユニットとをさらに含み、
前記第５受信ユニットは、前記ネットワーク機器によって送信される第４構成情報を受信するように構成され、前記第４構成情報は、前記第２ＢＷＰに対応する第３期間情報を含み、
前記非アクティブ化ユニットは、前記第２ＢＷＰのアクティブ化された期間が前記第３期間に達する場合、前記第２ＢＷＰセット内の各ＢＷＰを非アクティブ化するように構成され、
または、
前記リソース構成装置は、
第６受信ユニットと、非アクティブ化ユニットとをさらに含み、
前記第６受信ユニットは、前記ネットワーク機器によって送信される第５構成情報を受信するように構成され、前記第５構成情報は、前記第２ＢＷＰセット内の第３ＢＷＰに対応する第４期間情報を含み、
前記非アクティブ化ユニットは、前記第３ＢＷＰのアクティブ化された期間が前記第４期間に達する場合、前記第３ＢＷＰを非アクティブ化するように構成され、前記第３ＢＷＰは、前記第２ＢＷＰとは異なる、
請求項１２に記載のリソース構成装置。
【請求項１５】
リソース構成装置であって、
第１送信ユニットを含み、
前記第１送信ユニットは、端末が第１制御情報に従って、少なくとも２つのダウンリンク帯域幅部分（ＢＷＰ）またはアップリンクＢＷＰをアクティブ化するように、前記端末に前記第１制御情報を送信するように構成され、前記第１制御情報は、第１指示情報を含み、前記第１指示情報は、アクティブ化される少なくとも２つのダウンリンクＢＷＰまたはアップリンクＢＷＰを決定するために使用される、前記リソース構成装置。
【国際調査報告】
2021518066.tif 000022
2021518066.tif 000023
2021518066.tif 000024
2021518066.tif 000025